(57)【要約】      （修正有）【課題】連結時に、頂部が圧潰する突条が押出成型される圧潰連結構造によるアルミ建築構造でのアルミ二ウム合金製柱部材と柱梁接合構造を提供する。【解決手段】アルミ二ウム合金製柱部材の柱部材２０であると共に、柱部材２０の断面にはフランジ部材１９の連結開口部と同じ形状の連結開口部が押出成型により互いに整合して連結できる位置に配置された断面に成型されて、柱部材２０の外周面の異なる位置にフランジ部材１９の外周面を装着して、建築構造の隅柱、側柱、中柱の柱梁接合構造部となる三種類のフランジ装着柱部材の製作を可能とした。アルミ二ウム合金製柱部材は、柱部材２０と三種類のフランジ装着柱部材の何れかを継ぎ足し連結して、建築構造の柱部材となる。現場での柱梁接合作業は、突き出したフランジの梁接合開口部に柱の継ぎ手を叩き込む容易な作業となる。【選択図】図１０
2020073754.tif 000002
【特許請求の範囲】
【請求項１】
梁を連結するためのフランジ部材を装着したアルミニウム合金製の柱部材において、柱部材に装着する断面正方形のフランジ部材の四隅に設けられた４個の開口部の配置と同様に、断面が長方形の柱部材の断面には、上側に４個、下側に４個の合計八個の開口部が押出加工形成された断面形状である。柱部材の断面に並立して設けた開口部と開口部の間の寸法は、フランジ部材の断面形状にある開口部と開口部の間の寸法と同じであり、開口部の形状も同じで、開口部を形成する部材の肉厚も同じである。長方形の柱部材へのフランジ部材の装着は、柱部材の断面の四隅に４個と断面中央部の上下に並列して設けた４個の開口部のいずれかの並列した２個の開口部に、フランジ部材の並列した２個の開口部を連結させて装着することで、梁を連結するフランジ部材を装着した隅柱、側柱、中柱としての活用ができる断面形状を有する柱部材。
【請求項２】
梁を連結するための開口部が断面形状に設けられたフレンジ部材を装着したアルミニウム合金製の柱部材において、同じ長さに切断した前記柱部材の断面に並列して設けた２個の開口部と前記フランジ部材の断面に並列して設けられた２個の開口部を互いに合わせた箇所に、継手を跨がして連結させて一体化させ、その断面の空いた開口部には柱部材を継ぎ足す継手を装着し、柱部材と柱部材の間に位置して、柱部材と柱部材を継ぎ足してアルミニウム合金製の柱を構成するフランジ部材装着柱継ぎ足し部材。
【請求項３】
梁を連結するためのフランジ部材を装着したアルミニウム合金製の柱部材において、前記柱継足し部材を一体化するための継手であり、柱部材とフランジ部材を一体化に構成すると共に、梁の受け台となる形状を継手の片側に設けた連結継手。
【発明の詳細な説明】
【技術分野】
【０００１】本発明は、アルミニウム合金造り建築構造の主要構造材に関するものであり、押出成形加工による柱部材と梁部材の断面形状、および、構造材の連結継手、そして、梁を連結するためのフランジ部材を装着したアルミニウム合金製の柱に関する。
【背景技術】
【０００２】    アルミニウム合金造り建築物の主要構造材である、アルミニウム合金製の柱に、梁を連結させるためのフランジ部材が装着されている例は今のところ見当たらない。アルミニウム合金押出成形加工による部材の連結技術としては、本出願人の提案に係る連結技術が公知である（特許文献１）。特許文献１の図２６、図２６−１に示すように、継手１７、継手２４の中央部に設けられた凹形の溝に設けた山形の突起と、凹部の溝の連結接触面符号３２を境にして、前記溝に設けられた山形の突起と被連結材の構造材の連結開口部の内周面に設けられた山形の凸部符号１５が互いに潰し合い、すなわち圧潰による連結構造の先例がある。【０００３】  本発明における、アルミ二ウム合金造り建築物の主要構造材である柱において、梁を連結するフランジ部材を装着したアルミ二ウム合金製の先例は見当たらない。一方、鉄骨構造においては梁連結のためのフランジ部材を、鉄骨の柱部材にボルトと溶接で装着した例は多い。
【先行技術文献】
【特許文献】
【０００４】
【特許文献１】特許第５７０７５９３号公報（図４、図１０、図１８、図１９、図２１、図２５、図２６、図２６−１
【発明の概要】
【発明が解決しようとする課題】
【０００５】  アルミニウム合金造りの建築物や構築物での柱梁の接合には、溶融亜鉛めっき高力ボルトの摩擦接合方法がある。しかし、アルミ二ウム合金造りの特徴は、耐久性が他の材料より優れていることであり、主要構造材の連結部に鉄を使うことは、鉄の寿命が、アルミニウム合金造りの建築物や構築物の寿命となり、アルミニウム合金の優れた耐久性が失われる。【０００６】  本発明では、アルミニウムの特徴である耐久性を製品に活用することであり、アルミニウム合金造り建築物や構造物の主要な骨組み、及び骨組みの連結部においても全て同一のアルミニウム合金にする必要がある。柱、梁、継手の主要構造材は、アルミニウム合金を押出成形加工した長尺のアルミニウム資材であり、合理的な柱部材の切断や組み立てを行う作業工程の問題もある。【０００７】  また、図１のアルミニウム合金造り建築物の主要構造材である、アルミ二ウム合金製の隅柱、側柱には、柱に梁を連結する箇所が１本の柱に数箇所あり、その連結をボルトや溶接無に連結する必要がある。
【課題を解決するための手段】
【０００８】  本発明のボルトや溶接を使わないで、アルミニウム合金製の柱に梁を連結するには、柱部材に梁を連結するためのフレンジ部材を装着して一体化した柱構成部材を製作する必要がある。【０００９】  図１のアルミニウム合金造り建築物の構成要素としてのアルミ二ウム合金製の隅柱、側柱、中柱がある。それらの柱では、柱に装着して梁を連結するフランジ部材の位置が、それら柱ごとに柱の側面の異なる位置に装着される。決められた一つの柱部材に、隅柱、側柱、中柱ごとに適した柱外周面の位置に、フランジ部材を装着させなければならない課題の解決方法を以下に記す。【００１０】  本発明には、前記特許文献１に示されているように、連結部の外周面に設けた突起部と被連結部の内周面に設けられた突起部を、お互いに潰し合い連結する圧潰連結構造の技術が使われている。【００１１】  本発明では、図４の梁連結のフレンジ部材装着柱継ぎ足し部材を構成する柱部材符号２０の断面形状は、図５に示すように長方形の断面形状であり、連結開口部が断面の上側に４個と下側に４個、合計８個の開口部が設けられている。符号１９のフレンジ部材は、長方形の柱断面の短い一辺と同じ寸方の正方形であり、断面の四隅には柱部材と同じ形状の開口部が押出加工成型で設けられ、図１１の継手部材を介して、フレンジ部材を柱部材に装着することで、図４のフレンジ部材装着柱継ぎ足し部材の構成と成っている。図５、符号２０の柱部材の断面形状は、圧潰連結させる８個の開口部を設けたアルミニウム合金押出形材であり、符号１９のフレンジ部材も柱形材の一辺の寸法と同じ長さの正方形であり、断面の四隅に開口部を４個設け、柱と同じアルミ二ウム合金による押出し形材であり、符号２０の柱部材と符号１９のフレンジ部材の断面形状には、同じ形状の開口部が形成され、開口部を形成する部材の肉厚も同じ厚さに押し出し成形する。【００１２】図４のフレンジ部材装着柱継ぎ足し部材を構成する柱部材断面には８個の連結開口部が設けられており、それらの連結開口部の並列する２個のどれかと、断面正方形のフレンジ部材に設けられた開口部の内の並列した２個の開口部を、図１１、符合１４の継手を跨がして連結することにより、アルミニウム合金造り建築物の隅柱、側柱、中柱に適応する柱の構成部材である図３の符号２２のフレンジ部材装着柱継ぎ足し部材が製作できる。ゆえに、図３では、符号２２および異なる寸法に切断された柱部材を継ぎ足すことにより、一本のアルミニウム合金製柱として製品化される。
【発明の効果】
【００１３】図１のアルミニウム合金造り建築物の骨組み、主要構造材の連結は、［特許文献１］に記載の、連結部材の外周面に設けた突起と被連結部材の内周面に設けた突起を連結時にお互いに潰しながら押し込んで連結する構成を本発明に用いている。そのために、作業現場では、ハンマー等で、上から梁を叩いて組み立て、反対に梁を叩き上げて解体ができる。そのことは、部材のリサイクルや部材の再使用に有利となる。【００１４】梁と柱の連結においてはボルトや溶接を使わないので、アルミニウム合金の耐久性、すなわち寿命が、アルミニウム合金造りの建築物や構造物の寿命として略正確に反映できる。【００１５】建築物や構造物の寿命が永いということは、地震や風水害の多いわが国に必要な建築構造資材となり、環境にも社会にも有益になる。
【図面の簡単な説明】
【０００１６】
【図１】  本発明に係るアルミニウム合金造り建築物の骨組みの斜視図である。
【図２】  図１の建築物の通り芯上に柱を配置した斜視図である。
【図３】  図４のフレンジ部材装着柱継手部材による隅柱の組み立て図である。
【図３−１】  隅柱の向きを変えた図である。
【図３−２】  隅柱の向きを変えた図である。
【図４】  梁連結のフレンジ部材装着柱継ぎ足し部材である。
【図５】  アルミニウム合金製柱の断面図である。
【図５−１】  フレンジ部材の断面図である。
【図５−２】  フレンジ部材の断面図である。
【図６】  図４の断面図である。
【図７】  隅柱のＩ方向への斜視図である。
【図７−１】  隅柱の異なる向きの斜視図である。
【図７−２】  隅柱の異なる向きの斜視図である。
【図７−３】  隅柱の異なる向きの斜視図である。
【図８】  側柱の１方向への斜視図である。
【図８−１】  側柱の異なる方向への斜視図である。
【図８−２】  側柱の異なる方向への斜視図である。
【図８−３】  側柱の異なる方向への斜視図である。
【図８−４】  側柱の異なる方向への斜視図である。
【図９】  中柱の１方向への斜視図である。
【図９−１】  側柱の異なる方向への斜視図である。
【図１０】  固定した柱部材に梁を連結する前の図である。
【図１０−１】  固定した柱部材に梁を連結した後の図である。
【図１１】  アルミニウム合金製柱とフレンジ部材を連結する継手の図である。
【図１２】  最下部のフレンジ部材装着柱継手部材に使われる継手の図である。
【図１３】  アルミニウム合金製の柱同士を連結する継手の図である。
【図１４】  アルミニウム合金製の梁の両端に装着して、フレンジ部材に梁を連結するＬ字形継手の図である
【発明を実施するための形態】
【００１７】本発明での建築物の主要構造材である、梁連結フランジ部材装着アルミ二ウム合金製隅柱の実施例を示す。押出形材として５ｍから６ｍ程の長尺の柱、梁、継手の夫々の押出形材を、加工図面の寸法で切断する。
【００１８】必要な継手には、図１５の符号１８の補強継手を装着しておく。
【００１９】図３は、その隅柱全体の構成図であり、柱部材符号２０、符号２０−２、符号２０−３の間に入り、それら構成部材を継ぎ足す符号２２の部材の形状は、上下対象になるように断面の連結開口部には符号１４および符号１５の継ぎ手が装着されているので柱部材を上下に継ぎ足せる。符号２３の柱継ぎ足し部材は柱の最下部に使われる。
【００２０】まず、図４のフレンジ部材装着の柱継ぎ足し部材の製作が主要な作業となる。ここでは図５の符号２０の長方形の柱部材と符号１９のフランジ部材の形材を同寸法に長尺形材から切断する。この符号２０の柱部材の断面には、符号２４、２５、２９、３１、３１−１，２７、３１−２、３１−３の８個の連結開口部が設けられている。また、図５−１の符号１９の正方形のフランジ部材の断面の４隅には符号２６、符号２８、符号３７、符号３８の開口部が設けられている。また、図５−２の符号１９の正方形のフランジ部材の断面の四隅にも符号３０、符号３２、符号３４、符号３５の開口部が設けられている。
【００２１】図４のフレンジ部材装着の柱継ぎ足し部材の製作には、図６によると符号２０の開口部符号２５と符号１９の開口部符号２６、そして、同じく符号２７と符号２８の開口部に跨って符号１４の継手を介して柱部材とフレンジ部材を連結する。同様な装着方法で、図５の柱部材の符号２９とフランジ部材の符号３０、同様に符号３１と符号３２を符号１４の継手により連結させることで、図４の柱継ぎ足し部材を一体に製作する。
【００２２】  図３、隅柱の最下部の継ぎ足し部材では、符号１５の継手にある中央のストッパー部の突起のある箇所で切断した一方の継ぎ手を開口部にはめ込み部材の強度を上げる方法もある。また、図１１の符号１４の継手に替わり、図１１の符号１６の継手を使う。
【００２３】  図３の柱部材符号２０、符号２２のフランジ部材装着柱継ぎ足し部材、符号２０−２の柱部材、符号２２のフランジ装着柱継ぎ足し部材、符号２０−３の柱部材、符号２３の六つの部材を順次連結することで梁を受けるフランジ部材装着の隅柱となる。符号２０、符号２０−２、符号２０−３の柱部材は、図面により寸法を切断しておく。
【００２４】  実施例２としての梁の製作では、図１０の符号３３の梁部材は、実施例として、本発明による、符号２０の柱部材を併用している。柱部材には、梁などの横臥材が梁部材の数箇所に連結される、符号３３の梁部材は、最上部の柱部材に連結される、その場合は、図３の符号３３の梁の両端には図１４の符号１７のＬ字型継手が２本セットされる、上部のＬ字型継手は、図５の柱部材の符号２５、２７、及び符号２９、３１の開口部と連結される。下部のＬ字形継手は、図５−１のフランジ部材の符号３７、符号３８、そして、図５−２の符号３０、符号３２に連結される。図１０−１では符号２０の柱部材の開口部に、梁の上部に装着のＬ字継手が連結されている。柱部材の開口部の外側には、Ｌ字形継手が納まるように予め切りかけ加工をしておく。
【符号の説明】
【００２５】    １    アルミ二ウム合金造りの建築物の構造斜視図。
２    アルミ二ウム合金造りの建築物の柱配置図。
３    隅柱
４    隅柱
５    隅柱
６    隅柱
７    側柱
８    側柱
９    側柱
９ａ  側柱
１１  側柱
１２  側柱
１３  通り芯
１４  柱にフランジ部材を装着する継手
１５  柱と柱を連結して繋ぐ継手
１６  柱の最下部のフランジ部材を装着する継手
１７  梁の両端に装着するＬ字形継手
１８  継手の中空部に装着する補強継手
１９  フランジ部材となる形材の断面図
２０  柱となるアルミニウム合金形材の断面図
２１  フレンジ部材装着の隅柱継手部材の断面図
２２  柱とフランジ部材の連結の境目
２３  柱最下部のフレンジ部材装着の柱継手部材
２４  柱形材に設けられた連結の開口部
２５  柱形材に設けられた連結の開口部
２６  フランジ部材に設けられた開口部
２７  柱形材に設けられた連結の開口部
２８  フランジ部材に設けられた開口部
２９  柱形材に設けられた連結の開口部
３０  フランジ部材に設けられた開口部
３１  柱形材に設けられた連結の開口部
３２  フランジ部材に設けられた開口部
３３  梁
３４  フランジ部材に設けられた梁連結開口部
３５  フランジ部材に設けられた梁連結開口部
３６  柱部材とフレンジ部材の連結の境目
３７  フランジ部材に設けられた梁連結開口部
３８  フランジ部材に設けられた梁連結開口部
【図１】
2020073754.tif 000003
【図２】
2020073754.tif 000004
【図３】
2020073754.tif 000005
【図３−１】
2020073754.tif 000006
【図３−２】
2020073754.tif 000007
【図４】
2020073754.tif 000008
【図５】
2020073754.tif 000009
【図５−１】
2020073754.tif 000010
【図５−２】
2020073754.tif 000011
【図６】
2020073754.tif 000012
【図７】
2020073754.tif 000013
【図７−１】
2020073754.tif 000014
【図７−２】
2020073754.tif 000015
【図７−３】
2020073754.tif 000016
【図８】
2020073754.tif 000017
【図８−１】
2020073754.tif 000018
【図８−２】
2020073754.tif 000019
【図８−３】
2020073754.tif 000020
【図８−４】
2020073754.tif 000021
【図９】
2020073754.tif 000022
【図９−１】
2020073754.tif 000023
【図１０】
2020073754.tif 000024
【図１０−１】
2020073754.tif 000025
【図１１】
2020073754.tif 000026
【図１２】
2020073754.tif 000027
【図１３】
2020073754.tif 000028
【図１４】
2020073754.tif 000029
【図１５】
2020073754.tif 000030
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
アルミニウム合金製押出形材の中空部のある柱梁などの構造材を被連結部材とし、柱と梁等を連結する継手類を連結部材として、前記被連結部材に設けた中空の連結開口部の内周面と、前記連結部材の外周面に、連結時に互いに圧潰して連結する突起部を設けた連結構造において、
柱に、梁を連結する押出形材のフランジ部材を装着する複数の連結開口部を設けた、アルミニウム合金製押出形材の柱部材であり、
柱部材に装着するフランジ部材の断面の四隅に設けられた４個の連結開口部の配置と同様に、長方形の柱部材の断面には、四隅に４個、隅と隅の間隔の長い両側に並列して２個の連結開口部を設けて、合計八個の連結開口部が押出成形された断面形状であり、柱部材の断面に並立して設けた連結開口部と連結開口部の間隔の寸法は、フランジ部材の断面形状にある連結開口部と連結開口部との間隔の寸法と同じであり、連結開口部の形状も同じで、連結開口部を形成する肉厚も同じである。
断面長方形の柱部材へのフランジ部材の装着は、
フランジ部材の長さと同じ寸法で切断した、柱部材の断面の四隅に設けられた連結開口部４個と、柱部材の断面中央部の両側に並列して設けた４個の連結開口部のいずれかの並列した２個の連結開口部と、フランジ部材の並列した２個の連結開口部とを、
互いに向き合わせて接し、その重なった肉厚に連結継手を跨がしてフランジ部材を圧潰連結することで、
アルミニウム合金造り建築物の主要構造材である、隅柱、側柱、中柱を、梁連結のフランジ部材を装着したアルミニウム合金製の柱として活用できる。
柱部材は、フランジ部材と連結するための開口部を複数個設けた断面形状を有することを特徴とする。
【請求項２】
前記柱部材と前記フランジ部材を、連結継手を跨がして一体化した柱部材の断面の空いた連結開口部に、柱部材を継ぎ足す継手を装着し、柱を構成する柱部材と柱部材の中間に位置して、柱部材と柱部材を継ぎ足してアルミニウム合金製の柱を構成する連結構造部材。
【請求項３】
前記アルミニウム合金製の柱部材と前記フランジ部材の夫々の中空部に跨って装着され、柱部材とフランジ部材を一体化に構成すると共に、柱と梁の連結では、梁の受け台となる形状を継手の片側の端部に設けた請求項２に記載の連結継手。
【手続補正書】
【提出日】令和1年7月12日(2019.7.12)
【手続補正１】
【補正対象書類名】特許請求の範囲
【補正対象項目名】請求項１
【補正方法】変更
【補正の内容】
【請求項１】
アルミニウム合金製押出形材の中空部のある柱梁などの構造材を被連結部材とし、柱と梁等を連結する継手類を連結部材として、前記被連結部材に設けた中空の連結開口部の内周面と、前記連結部材の外周面に、連結時に互いに圧潰して連結する突起部を設けた連結構造において、
柱に、梁を連結する押出形材のフランジ部材を装着する複数の連結開口部を設けた、アルミニウム合金製押出形材の柱部材であり、
柱部材に装着するフランジ部材の断面の四隅に設けられた連結開口部と同様に、長方形の柱部材の断面にも、四隅と、四隅の隅と隅の間隔の長い両側には、並列して連結開口部を設けている。柱部材の断面に並立して設けた連結開口部と連結開口部の間隔の寸法は、フランジ部材の断面形状にある連結開口部と連結開口部の間隔の寸法と同じであり、連結開口部の形状も同じで、連結開口部を形成する肉厚も同じである。
断面長方形の柱部材へのフランジ部材の装着では、
柱部材をフランジ部材の長さと同じ寸法に切断し、柱部材の断面四隅に設けた連結開口部、及び柱部材の断面中央部の両側に並列して設けた連結開口部のいずれかの並列した連結開口部と、
フランジ部材の並列した連結開口部とを、
互いに向き合わせて接し、その重なった肉厚に連結継手を跨がして連結することで、
アルミニウム合金造り建築物の主要構造材である、隅柱、側柱、中柱などの建築構造材を、一種類の柱部材の活用で製作できることを特徴とする。
【手続補正書】
【提出日】令和1年7月16日(2019.7.16)
【手続補正１】
【補正対象書類名】明細書
【補正対象項目名】００２２
【補正方法】変更
【補正の内容】
【００２２】    図３、隅柱の最下部の継ぎ足し部材では、符号１５の継手にある中央のストッパー部の突起のある箇所で切断した一方の継ぎ手を開口部にはめ込み、部材の強度を上げる方法もある。また、図１１の符号１４の継手に替わり、図１２の符号１６の継手を使う。
【手続補正書】
【提出日】令和1年7月17日(2019.7.17)
【手続補正１】
【補正対象書類名】明細書
【補正対象項目名】００２４
【補正方法】変更
【補正の内容】
【００２４】    実施例２としての梁の製作では、図１０の符号３３の梁部材は、実施例として、本発明による、符号２０の柱部材を併用している。柱部材には、梁などの横臥材が梁部材の数箇所に連結される、符号３３の梁部材は、最上部の柱部材に連結される、その場合は、図３の符号３３の梁の両端には図１４の符号１７のＬ字型継手が２本セットされる、上部のＬ字型継手は、図５の柱部材の符号２５、２７、及び符号２９、３１の開口部と連結される。下部のＬ字形継手は、図５−１のフランジ部材の符号３７、符号３８、そして、図５−２の符号３４、符号３５に連結される。図１０−１では符号２０の柱部材の開口部に、梁の上部に装着のＬ字継手が連結されている。柱部材の開口部の外側には、Ｌ字形継手が納まるように予め切りかけ加工をしておく。
【手続補正書】
【提出日】令和1年7月31日(2019.7.31)
【手続補正１】
【補正対象書類名】明細書
【補正対象項目名】００２１
【補正方法】変更
【補正の内容】
【００２１】図４のフレンジ部材装着の柱継ぎ足し部材の製作には、図６によると符号２０の開口部符号２５と符号１９の開口部符号２６、そして、同じく符号２７と符号２８の開口部に跨って符号１４の継手を介して柱部材とフレンジ部材を連結する。同様な装着方法で、図５の柱部材の符号２９とフランジ部材の符号３０、同様に符号３１と符号３２を符号１４の継手により連結させることで、図４の柱継ぎ足し部材を一体に製作する。柱部材やフレンジ部材などの、被連結部材の連結開口部の内周面や、継手の連結部材の外周面に設けられた突起形状は、圧潰連結の圧入時に発生する、アルミニウム合金の残滓が被連結部材への変形を及ぼさない範囲であれば、前記夫々の突起形状は、台形でもよい。
【手続補正書】
【提出日】令和1年11月4日(2019.11.4)
【手続補正１】
【補正対象書類名】明細書
【補正対象項目名】０００１６
【補正方法】変更
【補正の内容】
【０００１６】
【図１】本発明に係るアルミニウム合金造り建築物の骨組みの斜視図である。
【図２】図１の骨組みの斜視図での、柱梁接合構造部を備えた柱部材の隅柱、側柱、中柱を建設地の通り芯に配置した斜視図である。
【図３】アルミニウム合金製の隅柱の構成が、柱部材２０と隅柱用の梁接合構造部が設けられたフランジ装着柱部材２２の二種類の部材を継足して隅柱となる部材の連結される前の斜視図である。
【図３−１】図３の二種類の構成部材を継ぎ足し連結した隅柱の斜視図である。
【図３−２】図３−１の隅柱の向きを変えた斜視図である。
【図４】図３および図７の隅柱、図８の側柱、図９の中柱の柱梁接合構造部としてのフランジ装着柱部材の部材構成は、図５の柱部材２０の外周面に梁接合開口部のあるフランジ部材１９の外周面を装着させるために、夫々の断面には互いに整合して連結できる連結開口部が押出成型されており、互いの開口部に跨って図１１の継ぎ手により二部材が連結され装着される。更に柱部材２０と継足連結するための図１３の継手も装着されている隅柱用のフランジ装着柱部材２２の斜視図である。
【図５】アルミ二ウム合金造り建築構造のアルミ二ウム合金製柱部材２０であると共に、図５−１、図５−２のフランジ部材を外周面に装着して柱梁接合構造部となるフランジ装着柱部材を構成する柱部材でもあり、断面にはフランジ部材１９の連結開口部と同じ形状の開口部が押出成型により互いに整合して連結できる位置に配置された断面に成型されて、柱部材２０の断面長手方向外周面の異なる位置にフランジ部材１９の外周面を装着して、建築構造の隅柱、側柱、中柱の柱梁接合部となる三種類のフランジ装着柱部材を構成する柱部材２０の断面図である。
【図５−１】梁接合開口部が押出成型された、図５に掲載の柱部材と外周面を接して一体に継手で連結されてフランジ装着柱部材を構成するフランジ部材の断面図である。
【図５−２】図５−１と同じ働きをするフランジ部材の断面図である。
【図６】図５の柱部材２０に、図５−１と図５−２のフランジ部材を連結装着した隅柱用のフランジ装着柱部材の断面図である。
【図７】柱部材２０と隅柱用のフランジ装着柱部材を継足連結した隅柱の斜視図である。
【図７−１】図７の隅柱の向きを変えた斜視図である。
【図７−２】図７の隅柱の向きを変えた斜視図である。
【図７−３】図７の隅柱の向きを変えた斜視図である。
【図８】側柱の中間梁接合の側柱用フランジ装着柱部材を継ぎ足した側柱の斜視図である。
【図８−１】図８の側柱の向きと異なる中間梁用のフランジ装着柱部材を継ぎ足した側柱の斜視図である。
【図８−２】図８の側柱の向きと異なる中間梁用のフランジ装着柱部材を継ぎ足した側柱の斜視図である。
【図８−３】図８の側柱の向きと異なる中間梁用のフランジ装着柱部材を継ぎ足した側柱の斜視図である。
【図８−４】図８の側柱の向きと異なる中間梁用のフランジ装着柱部材を継ぎ足した側柱の斜視図である。
【図９】中柱用のフランジ装着柱部材を継ぎ足した中柱の斜視図である。
【図９−１】図９の中柱の向きを変えた斜視図である。
【図１０】柱に装着された梁接合開口部に梁が叩き込まれる前の立面図である。
【図１０−１】柱の梁接合開口部に梁が叩き込まれて連結した柱梁接合の立面図である。
【図１１】柱部材２０とフランジ部材１９の断面には互いに整合して連結できるように押出成型された開口部が形成されており、それらの開口部に跨って連結してフランジ装着柱部材を構成すると共に、柱部材２０と連結するための突出た継手部が成型された継手の斜視図である。
【図１２】柱の最下部に使用されるフランジ装着柱部材を構成する柱部材とフランジ部材を連結して一体の構造部材とする継手の断面図である。
【図１３】柱を構成する柱部材とフランジ装着柱部材を継足して柱とする継手の斜視図である。
【図１４】柱の梁接合開口部に叩き込まれる梁の両端に装着されたＬ字形継手の斜視図である。
【図１５】連結時に頂部が潰れる圧潰連結構造の中空部が押出成型された継手の内周面に装着されて継手の片方の外周面となり被連結構造部材の中空内周面の四面に接合して接合部を補強する継手の斜視図である。図１２以外にも圧潰連結構造継手の接合部の補強に使われる継手の斜視図である。
【手続補正書】
【提出日】令和1年11月30日(2019.11.30)
【手続補正１】
【補正対象書類名】特許請求の範囲
【補正対象項目名】全文
【補正方法】変更
【補正の内容】
【特許請求の範囲】
【請求項１】
連結時に頂部が圧潰する突条が押出成型される接合技術によるアルミ二ウム合金造り建築構造の柱の構成が、柱となる柱部材と、前記柱部材の外周面に梁連結の開口部が断面に成型されたフランジ部材の外周面を装着して柱梁接合構造としたフランジ装着柱部材の二部材を互いに継足し連接して柱とする構成の柱部材の断面の長手方向の外周面の異なる位置に、前記フランジ部材の外周面を連結して装着できる連結開口部が、フランジ部材の断面の連結開口部と同じ形状で成型され、整合して連結できる位置に配置されて押出成型されたことを特徴とするアルミニウム合金製柱部材。
【請求項２】
前記請求項１の柱部材と請求項４の梁連結部材のフランジ部材により構成される柱梁接合構造のフランジ装着柱部材。
【請求項３】
前記請求項２の柱梁接合構造のフランジ装着柱部材を構成する柱部材と梁連結のフランジ部材の連結開口部に跨って互いの外周面を接して連結する継手であり、継手の断面には、継足し連接して柱を構成する突き出た継手部が押出し成型された継手。
【請求項４】
請求項２の柱梁接合構造となるフランジ装着柱部材を構成する梁連結部材であり、前記部材の断面には請求項１の柱部材の外周面から突き出して梁を接合する開口部と、前記柱部材の連結開口部と整合して柱部材の外周面に装着できる連結開口部が押出成型されている梁連結のフランジ部材。
【請求項５】
請求項１から請求項４の構造部材による、アルミニウム合金造り建築構造の隅柱部材。
【請求項６】
請求項１から請求項４の構造部材による、アルミニウム合金造り建築構造の側柱部材。
【請求項７】
請求項１から請求項４の構造部材による、アルミニウム合金造り建築構造の中柱部材。
【請求項８】
前記請求項１〜請求項７のいずれか一項に記載の、柱構成部材および柱梁接合構造に係る構設物。
【手続補正２】
【補正対象書類名】明細書
【補正対象項目名】００２５
【補正方法】変更
【補正の内容】
【００２５】１    アルミ二ウム合金造りの建築物の構造斜視図。
２    アルミ二ウム合金造りの建築物の柱配置図。
３    隅柱部材
４    隅柱部材
５    隅柱部材
６    隅柱部材
７    側柱部材
８    側柱部材
９    側柱部材
９ａ  側柱部材
１１  中柱部材
１２  中柱部材
１３  通り芯
１４  柱部材にフランジ部材を装着する継手
１５  柱部材とフランジ装着柱部材を連接して繋ぐ継手
１６  柱の最下部のフランジ部材を装着する継手
１７  梁の両端に装着するＬ字形継手
１８  継手の中空部に装着する補強継手
１９  フランジ部材となる形材の断面図
２０  柱部材の断面図
２１  隅柱のフランジ装着柱部材の断面図
２２  隅柱のフランジ装着柱部材の斜視図
２３  柱最下部のフレンジ装着柱部材の斜視図
２４  柱部材の断面に成型された連結開口部
２５  柱部材の断面に成型された連結開口部
２６  フランジ部材の断面に成型された連結開口部
２７  柱部材の断面に成型された連結開口部
２８  フランジ部材の断面に成型された連結開口部
２９  柱部材の断面に成型された連結開口部
３０  フランジ部材の断面に成型された連結開口部
３１  柱部材の断面に成型された連結開口部
３１−１  柱部材の断面に成型された連結開口部
３１−２  柱部材の断面に成型された連結開口部
３１−３  柱部材の断面に成型された連結開口部
３２  フランジ部材の断面に成型された連結開口部
３３  梁部材
３４  隅柱のフランジ装着柱部材の断面に設けられた梁連結開口部
３５  隅柱のフランジ装着柱部材の断面に設けられた梁連結開口部
３６  柱部材とフレンジ部材の連結の境目
３７  隅柱のフランジ装着柱部材の断面に設けられた梁連結開口部
３８  隅柱のフランジ装着柱部材の断面に設けられた梁連結開口部
【手続補正３】
【補正対象書類名】図面
【補正対象項目名】図２
【補正方法】変更
【補正の内容】
【図２】
2020073754.tif 000031